(57)【要約】  過電流などの不都合を生じることなく、電気的な刺激と振動による負荷の両方を身体に加えた痩身トリートメントを行って、好適な痩身効果を得ることができる痩身運動器具を提供する。  そのために、ベルト部材（３）により身体に固定される本体ユニットの外側面に一対の電極（２、２）を配備し、これら電極に、本体ユニットに内蔵のパルス電源を接続する。さらに、本体ユニットの内部には、振動を起こす振動源（５）を装備するとともに、電極を、本体ユニットに対して、弾力材（１４）を介して出入自在に取り付ける。この電極は、弾性部材により形成する。
2009130802.tif 000002
【特許請求の範囲】
【請求項１】
ベルト部材により身体に固定可能な本体ユニットを設け、本体ユニットの内部に振動を起こす振動源を装備すると共に、本体ユニットの外側面には電極を少なくも一対配備し、これら電極に本体ユニットに内蔵のパルス電源を接続し、
更にこれら電極を弾性部材により形成することを特徴とする痩身運動器具。
【請求項２】
前記電極を本体ユニットに対して出入自在に取り付けると共に、本体ユニットに設けた弾力材を介して前記電極を本体ユニットの外側に向けて付勢することを特徴とする請求項１記載の痩身運動器具。
【発明の詳細な説明】
【技術分野】
【０００１】
本発明は、身体に装着して筋肉等に負荷を加えることで痩身トリートメントを行う痩身運動器具に関する。
【背景技術】
【０００２】
筋肉等に負荷を与える痩身運動器具としては、電極を備えた幅広のベルトを腹部に巻いて電極を身体に接触させ、この電極からパルス電流を流して生体を電気的に刺激することにより筋肉等に負荷を加えて腹部のシェイプアップを図る装置（特許文献１）が知られている。また、偏心モータなどの振動源により身体を揺らして負荷を加える装置も従来知られている。【０００３】
特許文献１に記載のパルス健康器は、ベルトにパルス電源と電極とを取り付けており、このベルトを腹部に巻いて電極を身体に接触させ、パルス電流により筋肉の収縮運動を促す。パルス電流の種類や強度は、周波数やパルス電圧によって調整可能であり、使用者が設定した任意の強度で痩身トリートメントが可能である。【０００４】
このように、従来公知の痩身運動器具は、電気的な刺激により負荷を与えるか、あるいは物理的な振動により負荷を加えるか、のいずれかであった。そこで、電気的な刺激による負荷と物理的な振動による負荷を同時に加えるには、これら従来公知の痩身運動器具を2種組み合わせれば足りるが、単に組み合わせただけでは、振動で電極が身体から瞬間的に離れることが想定され、そのような場合には、電極と身体との間に過電流が流れ、発熱等により使用者に苦痛を与える事態が予想される。
【特許文献１】特開２００１−２７１２０３号公報
【発明の開示】
【発明が解決しようとする課題】
【０００５】
本発明は、そのような苦痛を生じることなく、身体に電気的な刺激と振動による負荷の両方を加えた痩身トリートメントを行って、好適な痩身効果を得ることができる痩身運動器具を提供することを目的とする。
【課題を解決するための手段】
【０００６】
前記課題を解決するために、請求項１記載の発明は、ベルト部材により身体に固定可能な本体ユニットを設け、本体ユニットの内部に振動を起こす振動源を装備すると共に、本体ユニットの外側面には電極を少なくも一対配備し、これら電極に本体ユニットに内蔵のパルス電源を接続し、そして前記電極を弾性部材により形成することを特徴とする。
このように電極が弾性体で形成されているため、上記構成の痩身運動器具は、電極が身体に密着して振動しても肌との間に隙間ができない。
請求項２記載の発明は、請求項１の構成において、電極を本体ユニットに対して出入自在に取り付けると共に、本体ユニットに設けた弾力材を介して前記電極を本体ユニットの外側に向けて付勢することを特徴とする。
このため本体ユニットが振動して身体から離れようとしても、電極は弾力材に押し出されて身体との接触がいっそう確実に確保される。
【発明の効果】
【０００７】
従って、請求項１記載の痩身運動器具では、振動源により本体ユニットを振動させて身体に振動負荷を加えても、電極を弾性部材により形成していることから、電極が身体に押しつけられると、電極と身体とが密着して十分な面積での接触が確保されるとともに接触時の感触にも優れ、快適に痩身トリートメントを行って好適な痩身効果を得ることができる。【０００８】
また請求項２記載の痩身運動器具は、電極が弾力材を介して本体ユニットに対し出入自在に取り付けられていることから、電極と身体との接触が確保され、振動手段の振動によって電極と身体とが離れて接触面積が減少することが防止されて、過電流等によって痛みを生じることがなく、振動源とパルス電源とによって振動による負荷と身体への電気的な刺激との両方の負荷を加えて、効率的に痩身トリートメントを行うことができ、好適な痩身効果を得ることができる。
【発明を実施するための最良の形態】
【０００９】
本発明に係る痩身運動器具について、図１乃至図４を参照して説明する。まず、図１および図２を参照して、痩身運動器具の概略について説明する。図１は痩身運動器具の正面図であり、図２はその平面図である。【００１０】
痩身運動器具は、一対の電極２、２を備えた本体ユニット１と、この本体ユニット１を身体に固定するための一本のベルト部材３とにより構成される。本体ユニット１は、平面視において長円を湾曲した中空の柱状体で、内部には後述する振動源やパルス電源を装備する。この本体ユニット１の凸側を背面とし、凹側を身体に向ける正面とする。上下に一対の電極２、２は、本体ユニット１の正面に取り付ける。また、本体ユニット１の上面には、電源ボタン４０、振動レベルボタン４１、電流レベルボタン４２を備えた操作部４を形成する。【００１１】
ベルト部材３は、身体の腹部に巻き回せる程度の長さを備えた帯状で、本体ユニット１の左右両側にスリット状に開口されたベルト通し穴１０に通されている。このベルト部材３の正面側の一端に面ファスナ３０を取り付け、他端側の背面は、この面ファスナ３０を接着可能に構成する。【００１２】
次に、図３および図４を参照して、本体ユニットの構成の詳細について説明する。図３は本体ユニットのＡ−Ａ断面図であり、図４は、本体ユニットのＢ−Ｂ断面図である。図３においては、内部構造の図示を省略している。【００１３】
本体ユニット１は、正面側の凸状の正面外ケース１１と、背面側の凹状の背面外ケース１２と、内ケース１３とにより中空に形成される。内ケース１３は正面外ケース１１にネジ止めにより固定され、そのさらに背後から背面外ケース１２を正面外ケース１１に嵌め合わせて、中空柱状の本体ユニット１を形成するとともに、背面外ケース１２と内ケース１３との間にベルト通し穴１０を形成する。この本体ユニット１の内部に、振動源として偏心モータ５と、この偏心モータ５に動力をベルト伝動して駆動する駆動モータ５０を設ける。【００１４】
正面外ケース１１の正面外側には、電極２を取り付ける横長の座部１１０が上下の２箇所に形成されている。この座部１１０は、電極２をネジ止めする中央の取付穴１１１と、弾力材である板バネ１４を取り付ける左右両側の板バネ固定部１１２、１１２とを備えている。【００１５】
図例では弾力材として板バネ１４を用いているが、圧縮コイルバネなどを弾力材として用いてもよい。【００１６】
この座部１１０に取り付けられる電極２は横長で、身体に当接する接触面２０は、中央部が凹み、両端部が突き出たなめらかな湾曲形状に形成されている。この電極２の中央部背後に、座部１１０の取付穴１１１にネジ止めするための固定用ボス２１を形成する。また、固定用ボス２１に隣接して、本体ユニット１に内蔵するパルス電源（図示しない）と接続するための通電用ボス２２を形成する。【００１７】
電極２は取付穴１１１と固定用ボス２１により中央部のみが座部１１０に固定され、両端部は自由端となっている。そのため電極２は屈撓自在となり、両端部が本体ユニット１より出入可能となる。電極２の両端部の背後には、座部１１０に固定した板バネ１４を当接させる。板バネ１４により電極２は本体ユニット１の外側に向け弾発的に付勢されている。また、両端部の周縁にはつば状に張り出した係止縁２３を形成し、この係止縁２３が正面外ケース１１の縁に係止するように配置する。この係止縁２３により、電極２の背後に配置した板バネ１４で突出方向に付勢される両端部の突出点が規定される。【００１８】
電極２の材質は、導電性を有するとともに屈撓性を備えたものであればよいが、導電性樹脂などの弾性部材により形成すると、身体への密着性が向上するとともに、身体に接触させた際の肌当たりにおいても有利である。また、屈撓性を備えた材質の表面に、導電性ジェルなどの面状電極を取り付けて電極を形成し、この面状電極を接触面としてパルス電源と接続する構成としてもよい。このように構成することにより、さらに密着性の向上が期待できるとともに肌当たりにも優れる。【００１９】
次に、上記のごとく構成した痩身運動器具の使用方法および作用について説明する。【００２０】
まず、本体ユニット１の正面側を身体に向け、板バネ１４、１４の付勢圧に抗して電極２、２を身体に強く押しつけて密着させて、ベルト部材３により本体ユニット１を身体に固定する。ベルト部材３は、本体ユニット１の背面側に形成されたベルト通し穴１０に通されており、本体ユニット１を身体に押しつけてしっかり固定することができる。【００２１】
次に、操作部４の電源ボタン４０を押して電源を入れ、振動レベルボタン４１により振動の強さを決めるとともに、電流レベルボタン４２によりパルス電流の大きさを決める。電源投入後の初期状態では振動レベルおよび電流レベルはゼロに設定されており、本体ユニット１は振動などの動作をしない。【００２２】
上記操作により本体ユニット１を作動させると、振動源である偏心モータ５が駆動されて本体ユニット１が振動するが、電極２、２が背後の板バネ１４、１４によって外向きに付勢されていることにより、これが屈撓して両端部が本体ユニット１から出入し、身体との接触状態が保持される。【００２３】
以下に、上記のごとく構成した痩身運動器の効果について説明する。【００２４】
本発明の痩身運動器具は、振動源により本体ユニットを振動させて身体に振動負荷を加えても、電極が弾力材を介して本体ユニットに対し出入自在に取り付けられていることから電極と身体との接触が確保され、振動手段の振動によって電極と身体とが離れて接触面積が減少することが防止されて、過電流等によって痛みを生じることがないため、振動源とパルス電源とによって振動による負荷と身体への電気的な刺激との両方の負荷を加えて効率的に痩身トリートメントを行うことができ、好適な痩身効果を得ることができる。【００２５】
また、電極を弾性部材により形成すると、電極は弾力材に付勢されて身体に押しつけられるとともに弾性を備えた電極は身体とよく密着し、十分な面積での接触が確保されるとともに接触時の感触にも優れ、快適に痩身トリートメントを行って好適な痩身効果を得ることができる。【００２６】
また、本体ユニットは長円を湾曲した形状で、凹側を正面にしており、本体ユニットが身体の、特に腹部の丸みに沿って取り付けやすい。
【図面の簡単な説明】
【００２７】
【図１】本発明に係る痩身運動器具の正面図である。
【図２】痩身運動器具の平面図である。
【図３】痩身運動器具のＡ−Ａ線断面図である。
【図４】痩身運動器具のＢ−Ｂ線断面図である。
【符号の説明】
【００２８】
１      本体ユニット
１０    ベルト通し穴
１１    正面外ケース
１１０  座部
１１１  取付穴
１１２  板バネ固定部
１２    背面外ケース
１３    内ケース
１４    板バネ
２      電極
２０    接触面
２１    固定用ボス
２２    通電用ボス
２３    係止縁
３      ベルト部材
３０    面ファスナ
４      操作部
４０    電源ボタン
４１    振動レベルボタン
４２    電流レベルボタン
５      偏心モータ
５０    駆動モータ
【図１】
2009130802.tif 000003
【図２】
2009130802.tif 000004
【図３】
2009130802.tif 000005
【図４】
2009130802.tif 000006
【国際調査報告】
2009130802.tif 000007
2009130802.tif 000008